(57)【要約】      （修正有）【課題】接続手段の後退を防止する、ＩＳＯＦＩＸ後退止め二重ロック機構を提供する。【解決手段】ベース１の上端にホルダー１６が設置され、ホルダーに貫通溝が設置され、貫通溝にストッパーが設置され、ストッパーの下端にストッパー傾斜面が設置され、ストッパーとホルダーとの間にストッパーリターンスプリングが接続される。ＩＳＯＦＩＸ部材２は、位置制限ロッド１３を含み、位置制限ロッドは、ストッパー傾斜面と当接するまで移動すると、ストッパーが貫通溝に沿って上向きに移動し、ストッパーリターンスプリングが弾性変形する。位置制限ロッドは、さらに移動して、ストッパーとの当接が無くなると、ストッパーがストッパーリターンスプリングの作用で下向きに、ストッパーの平面まで移動して位置制限ロッドと当接する。【選択図】図１
0003233422.tif 000002
【実用新案登録請求の範囲】
【請求項１】
ベース（１）とＩＳＯＦＩＸ部材（２）を含むＩＳＯＦＩＸ後退止め二重ロック機構であって、
前記ベース（１）の上端には、ホルダー（１６）が固定して設置され、前記ホルダー（１６）にホルダー（１６）を貫通する貫通溝（１７）が設置され、前記貫通溝（１７）に貫通溝（１７）に沿って上下移動可能なストッパー（１８）が設置され、前記ストッパー（１８）の下端にストッパー傾斜面（２２）が設置され、前記ストッパー（１８）とホルダー（１６）との間にストッパーリターンスプリング（２１）が接続され、
前記ＩＳＯＦＩＸ部材（２）は、ベース（１）に摺動可能に固定され、
前記ＩＳＯＦＩＸ部材（２）は、ベースとホルダーとの間に位置する位置制限ロッド（１３）を含み、
位置制限ロッド（１３）は、ストッパー傾斜面（２２）に当接するまで移動すると、ストッパー（１８）が貫通溝（１７）に沿って上向きに移動し、ストッパーリターンスプリング（２１）が弾性変形し、
位置制限ロッド（１３）は、さらに移動して、ストッパー（１８）との当接が無くなると、ストッパー（１８）がストッパーリターンスプリング（２１）の作用で、下向きに、ストッパー（１８）の平面まで移動して位置制限ロッド（１３）と当接する、ことを特徴とする、ＩＳＯＦＩＸ後退止め二重ロック機構。
【請求項２】
前記ストッパー（１８）に係合溝（２３）が設置され、前記係合溝（２３）にスライダー（２５）が設置され、前記スライダー（２５）は、一体して接続される駆動部（２６）とスライダー接続部（２７）を含み、前記駆動部（２６）の上端にスライダー傾斜面（２８）が設置され、前記スライダー接続部（２７）は、スライダー（２５）が係合溝（２３）を移動するように駆動するための駆動件に接続される、ことを特徴とする、請求項1に記載のＩＳＯＦＩＸ後退止め二重ロック機構。
【請求項３】
前記駆動件は、スライダー接続部（２７）に接続される牽引部（２９）及び牽引部（２９）に接続されるボタン部材（３０）を含み、前記ボタン部材（３０）は、一体して接続される付勢力部（３１）、位置制限部（３２）及びボタン接続部（３３）を含み、前記位置制限部（３２）に位置制限部（３２）を貫通する腰形状溝（３４）が設置され、前記腰形状溝（３４）に、ベース（１）に螺合接続され、腰形状溝（３４）に沿って位置制限部（３２）に対して移動するネジ（３５）が挿通される、ことを特徴とする、請求項２に記載のＩＳＯＦＩＸ後退止め二重ロック機構。
【請求項４】
前記ベース（１）に隔離板（４７）が設置され、前記隔離板（４７）にボタンリターンスプリング（４８）が設置され、前記ボタンリターンスプリング（４８）における隔離板（４７）から離開する一端が位置制限部（３２）に当接される、ことを特徴とする、請求項３に記載のＩＳＯＦＩＸ後退止め二重ロック機構。
【請求項５】
前記牽引部（２９）は、スライダー接続部（２７）に接続されるスライダー部分（３８）、ボタン接続部（３３）に接続されるボタン部分（３９）、及び、スライダー部分（３８）とボタン部分（３９）とを接続する中央部接続部分（４０）を含み、前記スライダー部分（３８）とボタン部分（３９）とは、共に、位置決めロッド（４１）と、位置決めロッド（４１）の中部に垂直するように接続され、中央部接続部分（４０）に接続される接続ロッド（４２）とを含み、
前記スライダー接続部（２７）とボタン接続部（３３）とは、共に、位置決めロッド（４１）の係合する位置決め穴（３６）と接続ロッド（４２）の係合するＬ型溝（３７）とが設置され、二つの前記位置決め穴（３６）は、それぞれ、スライダー接続部（２７）とボタン接続部（３３）とを貫通し、前記位置決め穴（３６）は、対応するＬ型溝（３７）の一辺と平行し、前記Ｌ型溝（３７）は、スライダー接続部（２７）とボタン接続部（３３）との上端面から、下向きに、位置決め穴（３６）に連通するまで延伸し、前記Ｌ型溝（３７）の幅は、対応する位置決め穴（３６）の穴径よりも小さい、ことを特徴とする、請求項３に記載のＩＳＯＦＩＸ後退止め二重ロック機構。
【請求項６】
前記ホルダー（１６）には、中央部接続部分（４０）の通り抜ける中央部回転穴（４３）と、接続ロッド（４２）の通り抜ける接続溝（４４）とが設置され、前記接続溝（４４）と中央部回転穴（４３）とは、共に、ホルダー（１６）の端面を貫通し、前記接続溝（４４）は、中央部回転穴（４３）の上方に位置し中央部回転穴（４３）に連通され、前記接続溝（４４）の幅は、中央部回転穴（４３）の穴径よりも小さい、ことを特徴とする、請求項５に記載のＩＳＯＦＩＸ後退止め二重ロック機構。
【請求項７】
前記ベース（１）に支持板（７）が固定して設置され、前記ホルダー（１６）が支持板（７）に固定して接続され、横方向ロッド（１１）は、ベース（１）と支持板（７）との間に位置する、ことを特徴とする、請求項５に記載のＩＳＯＦＩＸ後退止め二重ロック機構。
【請求項８】
一つの前記支持板（７）には、中央部接続部分（４０）の通り抜ける連通穴（４５）が設置され、前記ベース（１）に中央部接続部分（４０）を支持するための支持座（４６）が設置される、ことを特徴とする、請求項７に記載のＩＳＯＦＩＸ後退止め二重ロック機構。
【請求項９】
前記支持板（７）に支持板（７）を貫通する摺動穴（１５）が設置され、前記位置制限ロッド（１３）の両端は、それぞれ、二つの支持板（７）の摺動穴（１５）を通り抜けてから、横方向ロッド（１１）に固定して接続される、ことを特徴とする、請求項７に記載のＩＳＯＦＩＸ後退止め二重ロック機構。
【考案の詳細な説明】
【技術分野】
【０００１】
本考案は、チャイルドシートの部品に関し、特に、ＩＳＯＦＩＸ後退止め二重ロック機構に関する。
【背景技術】
【０００２】
チャイルドシートは、車内に装着され、子供の乗車の安全性を高めるシートである。車は、衝突したり急減速したりするなどの場合に、チャイルドシートにより、子供に対する衝撃力を緩和したり、子供の身体の移動を制限したりすることにより、それらへのダメージを軽減し、子供の乗車の安全性を確保することができる。
【０００３】
ＣＮ２０７２５７４４３Ｕという特許番号の中国特許は、ＩＳＯＦＩＸ後退止め構成を具備するチャイルドシートを開示している。このチャイルドシートは、上から順次にシート部、ベース部及びＩＳＯＦＩＸ接続手段を含む。シート部がベース部に離開して接続され、ＩＳＯＦＩＸ接続手段がベース部の底面に摺動可能に接続される。ＩＳＯＦＩＸ接続手段は、その先端が車のソケットに接続される接続端であり、その後端の側壁に鉛直方向のガイドレールが設置されている。ガイドレール内には、ガイドレールに沿って移動可能なレバーが設置され、レバーが弾性部を介してガイドレールの上端に保持される。レバーには、ベルトが接続され、ＩＳＯＦＩＸ接続手段の中央部にベルトの押さえレバーが設置され、ベルトの押さえレバーがガイドレールの下方に位置する。ベルトは、ベルトの押さえレバーの下方を通り抜けることにより、ベルトが引っ張り力によりレバーが移動するように連動すると、レバーには、ベルトによる斜め下方への付勢力がかかられ、ガイドレールに沿って下向きに移動することになる。
【０００４】
当該チャイルドシートは、ベース部の底面の下方に位置する後退止め部件を含み、後退止め部件は、後退止めブロックと後退止めロッドとを含む。後退止めブロックの中央部は、回転軸を介して、ベース部の底面に回転可能に設けられ、後退止めブロックは、その一方端がシート端とされ、他方端が取り付け溝にて形成される。ベース部の底面には、貫通穴が設置され、後退止めブロックのシート端がちょっと貫通穴に係合されている。取り付け溝には、Ｕ形状を呈す後退止めロッドが取り付けられる。後退止めロッドは、その中央部が取り付け溝に位置し、両端が下向きに延伸して接続手段を形成する。後退止めブロックにおける上面とベース底面との間には、弾性元件が設置され、この弾性元件が取り付け溝と回転軸との間に位置する。
【０００５】
初期の状態では、ＩＳＯＦＩＸ接続手段がベース部の下方に位置し、レバーが接続手段端の後方に当接される。レバーは、ベルトに付勢力をかけると、ベルトによる斜め下方への付勢力がかかられているので、ガイドレールに沿って下向きに移動することになり、接続手段から分離するまで移動すると、ＩＳＯＦＩＸ接続手段がベース部の下方から引き出されることになる。この時には、ベルトへの付勢力が停止すると、レバーが弾性件の作用でガイドレールの上端に戻り、レバーが接続手段端の前方に位置する。接続手段は、制限レバーを介して、接続端の後方に戻り、ＩＳＯＦＩＸ接続手段の後退を制限することにより、ＩＳＯＦＩＸ接続手段の接続端と車のソケットとの接続が簡便になされ得る。
【０００６】
このことに鑑み、本考案の考案者らは、もう一つのＩＳＯＦＩＸ接続手段の後退を防止するＩＳＯＦＩＸ後退止め機構を提供する。
【考案の概要】
【考案が解決しようとする課題】
【０００７】
本考案は、ＩＳＯＦＩＸ後退止め二重ロック機構を提供することを目的とする。
【０００８】
当該ＩＳＯＦＩＸ後退止め二重ロック機構は、チャイルドシートを取り付けると、ＩＳＯＦＩＸ部材を引き出してから後退することを避け、ＩＳＯＦＩＸ部材が順調に車における接続手段に接続されるようにすることができる。
【課題を解決するための手段】
【０００９】
本考案に係る上記した目的は、以下のような技術的手段により実現できる。
【００１０】
ＩＳＯＦＩＸ後退止め二重ロック機構は、ベースとＩＳＯＦＩＸ部材とを含み、前記ベースの上端にホルダーが固定して設置され、前記ホルダーにホルダーを貫通する貫通溝が設置され、前記貫通溝内に貫通溝に沿って上下移動可能なストッパーが設置され、前記ストッパーの下端にストッパー傾斜面が設置され、前記ストッパーとホルダーとの間にストッパーリターンスプリングが接続され、前記ＩＳＯＦＩＸ部材がベースに摺動可能に固定され、前記ＩＳＯＦＩＸ部材は、ベースとホルダーとの間に位置する位置制限ロッドを含み、位置制限ロッドは、ストッパー傾斜面と当接するまで移動すると、ストッパーが貫通溝に沿って上向きに移動し、ストッパーリターンスプリングが弾性変形し、位置制限ロッドは、さらに移動してストッパーとの当接が無くなると、ストッパーがストッパーリターンスプリングの作用で、下向きにストッパーの平面まで移動し、位置制限ロッドに当接する。
【００１１】
上記した技術的手段によると、ＩＳＯＦＩＸ部材がベースとホルダーとの間に移動する場合には、位置制限ロッドもベースとホルダーとの間に移動する。ＩＳＯＦＩＸ部材が引き出されている際には、位置制限ロッドがストッパーにストッパー傾斜面と当接するまで移動すると、位置制限ロッドがさらに移動することにより、ストッパーが位置制限ロッドの作用で上向きに移動し、ストッパーリターンスプリングが引張状態になる。位置制限ロッドは、ストッパー傾斜面から離開するまで移動すると、ストッパーが自体の重力とストッパーリターンスプリングの作用により下向きに移動し、位置制限ロッドがストッパーの平面と当接すると共にストッパーに制限されていることから、後退できないことになる。
【００１２】
好適には、前記ストッパーに係合溝が設置され、前記係合溝にスライダーが設置され、前記スライダーは、一体して接続される駆動部とスライダー接続部とを含み、前記駆動部の上端にスライダー傾斜面が設置され、前記スライダー接続部にスライダーが係合溝を移動するように駆動するための駆動件が接続される。
【００１３】
上記した技術的手段によると、駆動件により駆動スライダー接続部が係合溝を移動するように駆動し、駆動部が係合溝を移動するように連動する。駆動部が移動している際には、スライダー傾斜面がストッパーの係合溝の溝壁に当接し、ストッパーが上向きに運動するように連動し、位置制限ロッドは、ストッパーの平面との当接が無くなるようにすることにより、ホルダーとベースとの間に移動してＩＳＯＦＩＸ部材の後退を実現することができる。
【００１４】
好適には、前記駆動件は、スライダー接続部に接続される牽引部と牽引部に接続されるボタン部材とを含み、前記ボタン部材は、一体して接続される付勢力部、位置制限部及びボタン接続部を含み、前記位置制限部に位置制限部を貫通する腰形状溝が設置され、前記腰形状溝に、ベースに螺合接続され、腰形状溝に沿って位置制限部に対して移動するネジが挿通される。
【００１５】
上記した技術的手段によると、付勢力部に力をかかると、付勢力部は、牽引部により、スライダー接続部が移動するように連動することができる。腰形状溝とネジとの組み合わせは、ボタン部材を移動させながらベースからの分離を避けることができる。
【００１６】
好適には、前記ベースに隔離板が設置され、前記隔離板にボタンリターンスプリングが設置され、前記ボタンリターンスプリングにおける隔離板から離開する一方端は、位置制限部に当接する。
【００１７】
上記した技術的手段によると、付勢力部は、力をかかられて移動すると、位置制限部は、付勢力部と共に移動し、ボタンリターンスプリングが位置制限部の押圧により圧縮される。付勢力部は、かかられている力が停止すると、ボタンリターンスプリングにより位置制限部に作用して、ボタン部材がリターンするようにする。
【００１８】
好適には、前記牽引部は、スライダー接続部に接続されるスライダー部分、ボタン接続部に接続されるボタン部分、及び、スライダー部分とボタン部分とを接続する中央部接続部分を含み、前記スライダー部分とボタン部分とは、共に、位置決めロッドと、位置決めロッド中部に垂直して接続され中央部接続部分に接続される接続ロッドとを含み、前記スライダー接続部とボタン接続部とは、共に、位置決めロッドの係合する位置決め穴と、接続ロッドの係合するＬ型溝とが設置され、二つの前記位置決め穴は、それぞれ、スライダー接続部とボタン接続部とを貫通し、前記位置決め穴は、対応するＬ型溝の一辺と平行して、前記Ｌ型溝は、スライダー接続部とボタン接続部の上端面から、下向きに、位置決め穴に連通するまで延伸し、前記Ｌ型溝の幅は、対応する位置決め穴の穴径よりも小さい。
【００１９】
上記した技術的手段によると、スライダー接続部とボタン接続部とを、それぞれ、スライダー部分とボタン部分とに接続することが必要となる場合に、まず、位置決めロッドを位置決め穴に位置合わせ、位置決めロッドを位置決め穴に入るように摺動し、接続ロッドを同時にＬ型溝における位置決め穴に平行する一辺に摺動する。そして、位置決めロッドを、Ｌ型溝と位置づけ、位置決め穴と垂直する接続ロッドの一辺まで移動させると、接続ロッドが位置決めロッドの軸線に回り、Ｌ型溝に係合され位置決め穴と垂直する接続ロッドの一辺即可まで回転するように駆動すればよい。
【００２０】
好適には、前記ホルダーには、中央部接続部分の通り抜ける中央部回転穴と、接続ロッドの通り抜ける接続溝とが設置され、前記接続溝と中央部回転穴とは、共に、ホルダーの端面を貫通して、前記接続溝は、中央部回転穴の上方に位置し、中央部回転穴に連通され、前記接続溝の幅は、中央部回転穴の穴径よりも小さい。
【００２１】
上記した技術的手段によると、接続ロッドを接続溝に進入してから中央部回転穴に進入し、そして、中央部接続部分を接続ロッドによる連動により中央部回転穴に進入することにより、中央部接続部分が中央部回転穴にのみ移動できるようにすることができる。
【００２２】
好適には、前記ベースに支持板が固定して設置され、前記ホルダーが支持板に固定して接続され、前記横方向ロッドがベースと支持板との間に位置する。
【００２３】
好適には、一つの前記支持板は、中央部接続部分の通り抜ける連通穴が設置され、前記ベースは、中央部接続部分を支持するための支持座が設置される。
【００２４】
上記した技術的手段によると、連通穴と支持座との設置により牽引部を架設する役割が図れる。
【００２５】
好適には、前記支持板に支持板を貫通する摺動穴が設置され、前記位置制限ロッドの両端は、それぞれ、二つの支持板の摺動穴を通り抜けてから横方向ロッドに固定して接続される。
【考案の効果】
【００２６】
以上より、本考案は、以下の有益な効果が存在している。
１、ホルダー、ストッパー、ストッパーリターンスプリング及び位置制限ロッドの組み合わせにより、ＩＳＯＦＩＸ部材の後退が避けられる。
２、ボタン部材、牽引部、スライダー、ストッパー、ホルダー及びストッパーリターンスプリングの組み合わせにより、ＩＳＯＦＩＸ部材の後退への制限が無くなり、ＩＳＯＦＩＸ部材の後退が図れる。
【図面の簡単な説明】
【００２７】
【図１】本考案の実施例に係るＩＳＯＦＩＸ部材が引き出される前の三次元構成の模式図である。
【図２】本考案の実施例に係るベースの三次元構成の模式図である。
【図３】本考案の実施例に係るＩＳＯＦＩＸ部材の三次元構成の模式図である。
【図４】本考案の実施例に係るホルダー、ストッパーリターンスプリング、ストッパー、及び、スライダーが分解された三次元構成の模式図である。
【図５】図１におけるＡ領域の拡大図である。
【図６】本考案の実施例に係るホルダー、ストッパーリターンスプリング、ストッパー、及び、スライダーが接続された平面視点からの構成の模式図である。
【図７】本考案の実施例に係る牽引部、ボタン部材、ボタンリターンスプリング、及び、ネジが分解された三次元構成図である。
【図８】本考案の実施例に係るＩＳＯＦＩＸ部材が引き出される前の平面視点からの構成の模式図である。
【図９】本考案の実施例に係るＩＳＯＦＩＸ部材が引き出されている際の平面視点からの構成の模式図である。
【図１０】本考案の実施例に係るＩＳＯＦＩＸ部材が引き出された平面視点からの構成の模式図である。
【図１１】本考案の実施例に係るボタン部材が押された三次元構成の模式図である。
【図１２】図１１におけるＢ領域の拡大図である。
【図１３】本考案の実施例に係る下ボタン部材が押されている平面視点からの構成の模式図である。
【図１４】本考案の実施例に係るＩＳＯＦＩＸ部材が後退された平面視点からの構成の模式図である。
【考案を実施するための形態】
【００２８】
以下に、図面を参照しながら、本考案を詳しく説明していく。
【００２９】
図１を参照すると、ＩＳＯＦＩＸ後退止め二重ロック機構は、ベース１とＩＳＯＦＩＸ部材２とを含む。
【００３０】
図２を参照すると、ベース１は、底部板３、前部板４、二つの側方板５、及び、後方板６を含む。前部板４、二つの側方板５、及び、後方板６は、底部板３の周囲に一体して接続される。底部板３と側方板５とは、後方板６と近い部分に切り欠きが存在し、後方板６と近い部分が互いに分離している。底部板３には、底部板３と垂直し互いに平行する二つの支持板７が設置される。二つの支持板７は、それぞれ、二つの側方板５と後方板６との接続箇所に接続される。二つの支持板７は、後方板６から離開する部分が底部板３に接続され、後方板６と近い部分が底部板３から離開する。
【００３１】
図３を参照すると、ＩＳＯＦＩＸ部材２は、リンク８と、それぞれがリンク８の両端に接続されるハンドル９と、チャイルドシートに接続される接続手段１０と、リンク８の中央部に垂直して接続される横方向ロッド１１と、横方向ロッド１１の両端に垂直して接続され車のソケットに接続されるスライドロッド１２とを含み、横方向ロッド１１の上方の固定部に位置制限ロッド１３が設けられている。
【００３２】
図１、図２、図３を参照すると、ＩＳＯＦＩＸとベース１とを組み立てると、リンク８が二つの支持板７の中間に位置して底部板３に当接する。リンク８は、二つの支持板７に平行する方向に沿って移動することができる。後方板６は、可動溝１４が設置され、リンク８の一端が可動溝１４を通り抜けてからハンドル９に接続されるように延伸する。横方向ロッド１１は、支持板７と底部板３との間に位置し、支持板７と底部板３とが離開した領域に移動可能である。支持板７には、支持板７を貫通する摺動穴１５が設置され、位置制限ロッド１３は、両端がそれぞれ、二つの支持板７の摺動穴１５を通り抜けてから横方向ロッド１１に固定して接続され、位置制限ロッド１３が摺動穴１５に沿って移動することができる。
【００３３】
図１を参照すると、支持板７の上端にホルダー１６が固定して接続され、ホルダー１６もＩＳＯＦＩＸ部材２の上方に位置する。ホルダー１６は、その全体が長方形とされ、三つ側壁がそれぞれ、二つの支持板７と後方板６とに近接し、もう一つ側壁が垂下している。
【００３４】
図４、図５、図６を参照すると、ホルダー１６にホルダー１６を貫通して長方形とされる貫通溝１７が設置され、貫通溝１７に貫通溝１７に沿って上下移動可能なストッパー１８が設置され、ストッパー１８の周囲が共に貫通溝１７に近接している。ストッパー１８は、その上端がホルダー１６の上方に位置し、その下端がホルダー１６の下方に位置する。ストッパー１８における上端に対向する両側には、共に、可動部１９が設置され、ホルダー１６におけるストッパー１８の上端と近い一側に固定部２０が設置される。可動部１９と固定部２０との間にストッパーリターンスプリング２１が接続される。ＩＳＯＦＩＸ部材２が取り出される前に、ストッパーリターンスプリング２１がストッパー１８の重力作用により圧縮されている状態にある。ストッパー１８は、ホルダー１６に対して上向きに運動すると、ストッパーリターンスプリング２１が先に圧縮状態から変形を回復し引張状態になる。そして、ストッパー１８は、自身重力とストッパーリターンスプリング２１の作用とにより下向きに運動する傾向を有している。ストッパー１８の下端には、ストッパー傾斜面２２が設置される。ＩＳＯＦＩＸ部材２が取り出される前に、ストッパー１８の下端と位置制限ロッド１３の高さとが面一である。ハンドル９を操作して、ＩＳＯＦＩＸ部材２をベース１から離開する方向に移動させる場合に、位置制限ロッド１３は、摺動穴１５に沿ってストッパー１８に位置制限ロッド１３まで移動し、ストッパー１８のストッパー傾斜面２２に当接する。位置制限ロッド１３がさらに移動するにつれ、ストッパー１８が上向きに運動することにより、ストッパーリターンスプリング２１が引張状態になる。位置制限ロッド１３は、さらに移動し、ストッパー１８との当接が無くなると、ストッパー１８が自身の重力とストッパーリターンスプリング２１の作用で下向きに運動する。この時、ストッパー１８は、ストッパーリターンスプリング２１の作用で下向きにストッパー１８の平面まで移動し、位置制限ロッド１３に当接し、ストッパー１８により位置制限ロッド１３の後退を邪魔して、ＩＳＯＦＩＸ部材２の後退を回避することができる。
【００３５】
図４と図９を参照すると、ストッパー１８に、位置制限ロッド１３の移動方向に沿ってストッパー１８を貫通する係合溝２３が設置され、係合溝２３の上面が係合溝傾斜面２４として設置される。係合溝２３にスライダー２５が設置され、スライダー２５は、一体して接続される駆動部２６とスライダー接続部２７が設置される。駆動部２６の上端にスライダー傾斜面２８が設置され、スライダー傾斜面２８と係合溝傾斜面２４とが近接する。
【００３６】
図１と図５を参照すると、スライダー接続部２７には、牽引部２９が接続され、牽引部２９におけるスライダー接続部２７から離開する一端にボタン部材３０が接続される。ボタン部材３０は、牽引部２９により、スライダー接続部２７が位置制限ロッド１３の移動方向に沿って移動するように連動し、スライダー傾斜面２８と係合溝傾斜面２４とが相対運動するようにする。そして、ストッパー１８がスライダー２５の連動により下向きに運動する。一方、ボタン部材３０への操作が停止すると、ストッパー１８がストッパーリターンスプリング２１の作用で下向きに運動し、スライダー傾斜面２８と係合溝傾斜面２４とが再び相対運動し、スライダー２５が位置制限ロッド１３の移動方向に沿って反対方向に移動するようにする。
【００３７】
図１と図７を参照すると、ボタン部材３０は、一体して接続される付勢力部３１、位置制限部３２、及び、ボタン接続部３３を含む。位置制限部３２に位置制限部３２を貫通する腰形状溝３４が設置され、腰形状溝３４に、ベース１に螺合接続され、腰形状溝３４に沿って位置制限部３２に対して移動するネジ３５が挿通される。スライダー接続部２７とボタン接続部３３とは、それらの形状が同じである。スライダー接続部２７とボタン接続部３３とは、共に、位置決め穴３６とＬ型溝３７とが設置される。二つの位置決め穴３６は、それぞれ、スライダー接続部２７とボタン接続部３３とを貫通する。位置決め穴３６は、対応するＬ型溝３７の一辺に平行し、Ｌ型溝３７は、スライダー接続部２７とボタン接続部３３の上端面から下向きに、位置決め穴３６に連通するまで延伸する。Ｌ型溝３７の幅は、対応する位置決め穴３６の穴径よりも小さい。
【００３８】
図１、図５、図７を参照すると、牽引部２９は、スライダー接続部２７に接続されるスライダー部分３８、ボタン接続部３３に接続されるボタン部分３９及びスライダー部分３８とボタン部分３９とを接続する中央部接続部分４０を含む。スライダー部分３８とボタン部分３９とは、共に、位置決めロッド４１と、位置決めロッド４１の中央部に垂直して接続され、中央部接続部分４０に接続される接続ロッド４２とを含む。そのうち、位置決めロッド４１は、僅かに位置決め穴３６に係合され、接続ロッド４２がＬ型溝３７に係合される。スライダー接続部２７とボタン接続部３３とを、それぞれ、スライダー部分３８とボタン部分３９とに接続することが必要となる場合には、まず、位置決めロッド４１を位置決め穴３６に位置付け、位置決めロッド４１を位置決め穴３６に入るように摺動し、接続ロッド４２を、同時に、Ｌ型溝３７における位置決め穴３６と平行する一辺に摺動する。位置決めロッド４１は、Ｌ型溝３７と位置づけ位置決め穴３６と垂直する接続ロッド４２の一辺まで移動すると、接続ロッド４２が位置決めロッド４１の軸線周りにＬ型溝３７における垂直位置決め穴３６に係合される接続ロッド４２の一辺まで回転するように駆動すればよい。
【００３９】
図４と図５を参照すると、スライダー部分３８とスライダー接続部２７とを簡便に接続するために、ホルダー１６に中央部接続部分４０の通り抜ける中央部回転穴４３と接続ロッド４２の通り抜ける接続溝４４が設置される。中央部回転穴４３と接続溝４４とは、共に、ホルダー１６における垂下している側壁を貫通する。接続溝４４は、中央部回転穴４３の上方に位置し中央部回転穴４３に連通される。接続溝４４の幅は、中央部回転穴４３の穴径よりも小さい。接続ロッド４２は、接続溝４４に進入してから中央部回転穴４３に進入し、中央部接続部分４０が接続ロッド４２の連動により中央部回転穴４３に進入し、中央部接続部分４０が中央部回転穴４３にのみ移動できるようにすることができる。
【００４０】
図１を参照すると、牽引部２９によりボタン部材３０とスライダー接続部２７とを接続するために、一つの支持板７に中央部接続部分４０の通り抜ける連通穴４５が設置され、中央部接続部分４０が連通穴４５に移動できる。底部板３にも、中央部接続部分４０を支持するための支持座４６が設置される。連通穴４５と支持座４６とを設置することにより、牽引部２９を架設する役割が図れる。
【００４１】
図１と２を参照すると、底部板３に隔離板４７が設置され、隔離板４７にボタンリターンスプリング４８が固定して設置され、ボタンリターンスプリング４８における隔離板４７から離開する一端が位置制限部３２に当接する。付勢力部３１を押圧すると、付勢力部３１が位置制限ロッド１３の移動方向に沿って移動するように連動し、ボタンリターンスプリング４８が圧縮の状態になる。付勢力部３１の移動により、位置制限部３２、ボタン接続部３３、牽引部２９、スライダー接続部２７を介して、スライダー２５が移動するように連動する。付勢力部３１への押圧が停止すると、ストッパー１８がストッパーリターンスプリング２１の作用で下向きに運動して、スライダー２５が反対方向に移動し、付勢力部３１が反対方向に移動するようにする一方、ボタンリターンスプリング４８も、付勢力部３１が反対方向に移動するように連動する。
【００４２】
図１を参照すると、前部板４にも位置制限口４９が設置され、付勢力部３１が位置制限口４９から前部板４に突出することにより、付勢力部３１を簡便に押圧して操作することができる。付勢力部３１は、位置制限部３２と近い一端から位置制限部３２から離開する一端まで次第に小さくなり、位置制限口４９の大きさの制限により、付勢力部３１の一部だけが通り抜ける。
【００４３】
その操作の過程は、以下の通りである。チャイルドシートが取り付けされるためには、ＩＳＯＦＩＸ部材２が取り出されることが必要である。図８を参照すると、この時に、ハンドル９を操作して、ＩＳＯＦＩＸ部材２が底部板３とホルダー１６との間にベース１から離開する方向に沿って移動ように連動し、位置制限ロッド１３も、底部板３とホルダー１６との間に摺動穴１５に沿ってストッパー１８へ移動する。位置制限ロッド１３は、位置制限ロッド１３が移動している際に、ストッパー傾斜面２２に当接するまで移動する。図９を参照すると、位置制限ロッド１３は、さらに移動し、ストッパー１８が位置制限ロッド１３の作用で貫通溝１７に沿って上向きに移動し、ストッパーリターンスプリング２１が引張状態になる。図１０を参照すると、位置制限ロッド１３は、ストッパー傾斜面２２から離開するように移動すると、ストッパー１８は、自身重力とストッパーリターンスプリング２１の作用で貫通溝１７に沿って下向きに移動し、位置制限ロッド１３がストッパー１８の平面に当接してストッパー１８からの制限により後退できないことになる。
【００４４】
チャイルドシートを車に取り付けたとチャイルドシートの背もたれと車の座席との間の距離を調整したり、又は、チャイルドシートを車から外したりすることが必要である場合に、ＩＳＯＦＩＸ部材２を後退させるとよい。図１１、図１２、図１３を参照すると、付勢力部３１を押圧して、付勢力部３１を移動させることにより、位置制限部３２が移動するように連動し、ボタンリターンスプリング４８が圧縮になる。位置制限部３２は、ボタン接続部３３が移動するように連動し、ボタン接続部３３が牽引部２９によりスライダー接続部２７が移動するように連動することにより、駆動部２６が係合溝２３に入るように摺動し、スライダー傾斜面２８と係合溝傾斜面２４とが相対運動し、ストッパー１８がスライダー２５の連動により上向きに運動し、ストッパーリターンスプリング２１が引張状態になる。この時に、位置制限ロッド１３がストッパー１８の平面と当接しなくなり、位置制限ロッド１３も、ストッパー１８からの位置制限が無くなり、ＩＳＯＦＩＸ部材２が後退できるようになる。
【００４５】
図１４を参照すると、ＩＳＯＦＩＸ部材２が後退すると、付勢力部３１への押圧を止めて、位置制限部３２がボタンリターンスプリング４８の作用により反対方向に移動することにより、付勢力部３１が反対方向に運動するように連動する。それと同時に、ストッパーリターンスプリング２１が復帰され、ストッパー１８が下向きに運動し、スライダー傾斜面２８と係合溝傾斜面２４とが再び相対運動することにより、スライダー２５が位置制限ロッド１３の移動方向に沿って反対方向に移動し、牽引部２９により、ボタン接続部３３が反対方向に移動するように連動して、位置制限部３２と付勢力部３１とが反対方向に移動ように連動する。
【００４６】
本実施例は、本考案を解釈するためのものに過ぎず、本考案を限定するものではない。当業者は、本明細書を読んでから、必要に応じて本実施例を、創造的な貢献がない範囲において、補正することも可能であり、本考案の請求の範囲に属されている如何なる手段も特許法により保護され得る。
【符号の説明】
【００４７】
１    ベース
２    ＩＳＯＦＩＸ部材
３    底部板
４    前部板
５    側方板
６    後方板
７    支持板
８    リンク
９    ハンドル
１０    接続手段
１１    横方向ロッド
１２    スライドロッド
１３    位置制限ロッド
１４    可動溝
１５    摺動穴
１６    ホルダー
１７    貫通溝
１８    ストッパー
１９    可動部
２０    固定部
２１    ストッパーリターンスプリング
２２    ストッパー傾斜面
２３    係合溝
２４    係合溝傾斜面
２５    スライダー
２６    駆動部
２７    スライダー接続部
２８    スライダー傾斜面
２９    牽引部
３０    ボタン部材
３１    付勢力部
３２    位置制限部
３３    ボタン接続部
３４    腰形状溝
３５    ネジ
３６    位置決め穴
３７    Ｌ型溝
３８    スライダー部分
３９    ボタン部分
４０    中央部接続部分
４１    位置決めロッド
４２    接続ロッド
４３    中央部回転穴
４４    接続溝
４５    連通穴
４６    支持座
４７    隔離板
４８    ボタンリターンスプリング
４９    位置制限口
【図１】
0003233422.tif 000003
【図２】
0003233422.tif 000004
【図３】
0003233422.tif 000005
【図４】
0003233422.tif 000006
【図５】
0003233422.tif 000007
【図６】
0003233422.tif 000008
【図７】
0003233422.tif 000009
【図８】
0003233422.tif 000010
【図９】
0003233422.tif 000011
【図１０】
0003233422.tif 000012
【図１１】
0003233422.tif 000013
【図１２】
0003233422.tif 000014
【図１３】
0003233422.tif 000015
【図１４】
0003233422.tif 000016